(57)【要約】【課題】  簡易な構造によりエネルギーロスが少なく、利用の容易な給電ができる非接触給電システムを提供する。【解決手段】  従来の非接触給電システムに変わって、非接触給電を受けることをできるコイル状の導電体をもつ給電用２次コイルを有する受電機器と、給電用２次コイルに非接触給電をできる給電用１次コイルと給電用１次コイルを駆動する駆動回路とを有する給電機器と、を備え、前記導電体の導電部の少なくとも一部が雰囲気に露出する、ものとした。【選択図】    図１
2015186311.tif 000002
【特許請求の範囲】
【請求項１】
非接触給電システムであって、
非接触給電を受けることをできるコイル状の導電体をもつ給電用２次コイルを有する受電機器と、
給電用２次コイルに非接触給電をできる給電用１次コイルと前記給電用１次コイルを駆動する駆動回路とを有する給電機器と、
を備え、
前記導電体の導電部の少なくとも一部が雰囲気に露出する、
ことを特徴とする非接触給電システム。
【請求項２】
前記導電体の導電部の少なくとも１部が雰囲気に露出して一定の空間を閉じる様に囲う、
ことを特徴とする請求項１に記載の非接触給電システム。
【請求項３】
一定の表面をもつ導電性の部分を有する対象物に設けられるシステムであって、
を備え、
前記導電体が対象物の部分の表面に絶縁体を間に挟んで配置される、
ことを特徴とする請求項２に記載の非接触給電システム。
【請求項４】
前記導電体が帯状金属体であって、
前記帯状金属体が対象物の部分の表面に絶縁体を間に挟んで配置される、
ことを特徴とする請求項３に記載の非接触給電システム。
【請求項５】
一定の表面をもつ導電性の部分を有する対象物に設けられシステムであって、
前記導電体が対象物の部分の表面に絶縁体を間に挟んで配置される、
ことを特徴とする請求項１に記載の非接触給電システム。
【請求項６】
一定の表面をもつ導電性の部分を有する対象物に設けられるシステムであって、
前記導電体が帯状金属体であって、
前記帯状金属体が対象物の部分の表面に絶縁体を間に挟んで配置される、
ことを特徴とする請求項１に記載の非接触給電システム。
【請求項７】
非接触給電システムであって、
非接触給電を受けることをできるコイル状の導電性発熱体をもつ給電用２次コイルを有する受電機器と、
給電用２次コイルに非接触給電をできる給電用１次コイルと前記給電用１次コイルを駆動する駆動回路とを有する給電機器と、
を備え、
前記導電性発熱体の発熱部の少なくとも一部が雰囲気に露出する、
ことを特徴とする非接触給電システム。
【請求項８】
前記導電性発熱体の発熱部の少なくとも１部が雰囲気に露出し一定の空間を閉じる様に囲う、
ことを特徴とする請求項７に記載の非接触給電システム。
【請求項９】
一定の表面をもつ部分を有する対象物に設けられるシステムであって、
前記導電性発熱体が対象物の部分の表面に断熱体を間に挟んで配置される、
ことを特徴とする請求項８に記載の非接触給電システム。
【請求項１０】
前記導電性発熱体が帯状体であって、
前記帯状体が対象物の部分の表面に断熱体を間に挟んで配置される、
ことを特徴とする請求項９に記載の非接触給電システム。
【請求項１１】
一定の表面をもつ部分を有する対象物に設けられるシステムであって、
前記導電性発熱体が対象物の部分の表面に絶縁体を間に挟んで配置される、
ことを特徴とする請求項７に記載の非接触給電システム。
【請求項１２】
一定の表面をもつ部分を有する対象物に設けられるシステムであって、
前記導電発熱体が帯状体であって、
前記帯状体が対象物の部分の表面に絶縁体を間に挟んで配置される、
ことを特徴とする請求項７に記載の非接触給電システム。
【発明の詳細な説明】
【技術分野】
【０００１】
本発明は、非接触給電システムに係る。
【背景技術】
【０００２】
近年、新たな非接触給電が検討される。
例えば、一方に給電用２次コイルを持ち、他方に給電用１次コイルを設置し、給電用１次コイルから給電用２次コイルへ非接触給電するアイデアが検討されている。  
図１０は、非接触給電システムの概念図である。
図１０に示す概念は、米国特許第８０３５２５５号に開示されたものである。
非接触式により給電用１次コイルから給電用２次コイルへエネルギーロスを少なく給電することが望まれる。
また、非接触式により給電用１次コイルから給電用２次コイルへ給電する際に、利用方法が容易なことが望まれる。
【０００３】
動物等を一定の境域に置くために、電気を通じた柵を用いることがある。
動物等を一定の領域に近づけないために、電気を通じた柵を用いることがある。
動物等に危害を加えないが、不快になる程度の電圧を柵に印加する。
動物等が柵に接触すると、動物等が不快になることを経験して、柵に近寄らなくなる。
【０００４】
雪国において、屋根に積もった雪を除く作業は、多くの労力を必要とする。
屋根に電熱器を仕込み、電熱器具の発熱により、雪がつもり難くする。
【０００５】
いずれの場合も、柵や電熱器具への印加のために配線による給電が行われる。
柵や、電熱器具が短絡すると、過電流を防止するために、給電を停止している。
そのため、再起動が必要になる。
【先行技術文献】
【特許文献】
【０００６】
【特許文献１】特開２０１１−６０２６０号
【特許文献２】特開２０１１−９７８１４号
【特許文献３】米国特許第８０３５２５５号
【特許文献４】米国特許第８１０６５３９号
【特許文献５】特開２０００−１０６７６６号
【発明の概要】
【発明が解決しようとする課題】
【０００７】
本発明は以上に述べた問題点に鑑み案出されたもので、簡易な構造によりエネルギーロスが少なく、利用の容易な給電ができる非接触給電システムを提供する。
【課題を解決するための手段】
【０００８】
上記目的を達成するため、本発明に係る非接触給電システムであって、非接触給電を受けることをできるコイル状の導電体をもつ給電用２次コイルを有する受電機器と、給電用２次コイルに非接触給電をできる給電用１次コイルと前記給電用１次コイルを駆動する駆動回路とを有する給電機器と、を備え、前記導電体の導電部の少なくとも一部が雰囲気に露出する、ものとした。
【０００９】
上記本発明の構成により、受電機器が、非接触給電を受けることをできるコイル状の導電体をもつ給電用２次コイルを有する。給電機器が、給電用２次コイルに非接触給電をできる給電用１次コイルと前記給電用１次コイルを駆動する駆動回路とを有する。前記導電体の導電部の少なくとも一部が雰囲気に露出する、
その結果、電位の異なる状態の導電部が雰囲気に露出する。
【００１０】
以下に、本発明の実施形態に係る非接触給電システムを説明する。本発明は、以下に記載した実施形態のいずれか、またはそれらの中の二つ以上が組み合わされた態様を含む。
【００１１】
本発明の実施形態にかかる非接触給電システムは、前記導電体の少なくとも１部が雰囲気に露出して一定の空間を閉じる様に囲う。
上記の実施形態の構成により、前記導電体の導電部の導電部の少なくとも１部が雰囲気に露出して一定の空間を閉じる様に囲う。
その結果、電位の異なる状態の導電部が雰囲気に露出して一定の空間を閉じる様に囲う。
【００１２】
本発明の実施形態にかかる非接触給電システムは、一定の表面をもつ導電性の部分を有する対象物に設けられシステムであって、前記導電体が対象物の部分の表面に絶縁体を間に挟んで配置される。
上記の実施形態の構成により、一定の表面をもつ導電性の部分を有する対象物に設けられシステムである。前記導電体が対象物の部分の表面に絶縁体を間に挟んで配置される。
その結果、前記導電体が対象物の一定の表面の上に電位の異なる状態の導電部を雰囲気に露出して設けられる。
【００１３】
本発明の実施形態にかかる非接触給電システムは、一定の表面をもつ導電性の部分を有する対象物に設けられるシステムであって、前記導電体が帯状金属体であって、前記帯状金属体が対象物の部分の表面に絶縁体を間に挟んで配置される。
上記の実施形態の構成により、一定の表面をもつ導電性の部分を有する対象物に設けられるシステムである。前記導電体が帯状金属体である。前記帯状金属体が対象物の部分の表面に絶縁体を間に挟んで配置される。
その結果、前記導電体である帯状金属体が対象物の一定の表面の上に電位の異なる状態の導電部を雰囲気に露出して設けられる。
【００１４】
上記目的を達成するため、本発明に係る非接触給電システムであって、非接触給電を受けることをできるコイル状の導電性発熱体をもつ給電用２次コイルを有する受電機器と、給電用２次コイルに非接触給電をできる給電用１次コイルと前記給電用１次コイルを駆動する駆動回路とを有する給電機器と、を備え、前記導電性発熱体の発熱部の少なくとも一部が雰囲気に露出する、ものとした。
【００１５】
上記本発明の構成により、受電機器が、非接触給電を受けることをできるコイル状の導電性発熱体をもつ給電用２次コイルを有する。給電機器が、給電用２次コイルに非接触給電をできる給電用１次コイルと前記給電用１次コイルを駆動する駆動回路とを有する。前記導電性発熱体の発熱部の少なくとも一部が雰囲気に露出する。
その結果、発熱する発熱部が雰囲気に露出する。
【００１６】
以下に、本発明の実施形態に係る非接触給電システムを説明する。本発明は、以下に記載した実施形態のいずれか、またはそれらの中の二つ以上が組み合わされた態様を含む。
【００１７】
本発明の実施形態にかかる非接触給電システムは、前記導電性発熱体の発熱部の少なくとも１部が雰囲気に露出し一定の空間を閉じる様に囲う、
上記の実施形態の構成により、前記導電性発熱体の発熱部の少なくとも１部が雰囲気に露出し一定の空間を閉じる様に囲う。
その結果、発熱する発熱部が雰囲気に露出して一定の空間を閉じる様に囲う。
【００１８】
本発明の実施形態にかかる非接触給電システムは、一定の表面をもつ部分を有する対象物に設けられるシステムであって、前記導電性発熱体が対象物の部分の表面に断熱材を間に挟んで配置される。
上記の実施形態の構成により、一定の表面をもつ部分を有する対象物に設けられるシステムである。前記導電性発熱体が対象物の部分の表面に断熱材を間に挟んで配置される。
その結果、前記導電性発熱体が対象物の一定の表面の上に発熱部を雰囲気に露出して設けられる。
【００１９】
本発明の実施形態にかかる非接触給電システムは、一定の表面をもつ部分を有する対象物に設けられるシステムであって、前記導電発熱体が帯状体であって、前記帯状体が対象物の部分の表面に断熱材を間に挟んで配置される。
上記の実施形態の構成により、一定の表面をもつ部分を有する対象物に設けられるシステムである。前記導電発熱体が帯状体である。前記帯状体が対象物の部分の表面に断熱材を間に挟んで配置される。
その結果、一定の表面をもつ部分を有する対象物に設けられ、帯状金属体である導電体が対象物の部分の表面に断熱材を間に挟んで配置される様にしたので、前記発熱体である帯状体が対象物の一定の表面の上に発熱部を雰囲気に露出して設けられる。
【発明の効果】
【００２０】
以上説明したように、本発明に係る非接触給電システムは、その構成により、以下の効果を有する。
駆動回路に駆動される給電用１次コイルが給電用２次コイルに非接触給電し、給電用２次コイルのコイル状の導電体の導電部の少なくとも一部を雰囲気に露出する様にしたので、電位の異なる状態の導電部が雰囲気に露出する。
また、導電体の導電部の少なくとも一部が雰囲気に露出して一定の空間を閉じる様に囲う様にしたので、電位の異なる状態の導電部が雰囲気に露出して一定の空間を閉じる様に囲う。
また、一定の表面をもつ導電性の部分を有する対象物に設けられ、前記導電体が対象物の部分の表面に絶縁体を間に挟んで配置される様にしたので、前記導電体が対象物の一定の表面の上に電位の異なる状態の導電部を雰囲気に露出して設けられる。
また、一定の表面をもつ導電性の部分を有する対象物に設けられ、帯状金属体である導電体が対象物の部分の表面に絶縁体を間に挟んで配置される様にしたので、前記導電体である帯状金属体が対象物の一定の表面の上に電位の異なる状態の導電部を雰囲気に露出して設けられる。
駆動回路に駆動される給電用１次コイルが給電用２次コイルに非接触給電し、給電用２次コイルのコイル状の導電体の発熱部の少なくとも一部を雰囲気に露出する様にしたので、発熱する発熱部が雰囲気に露出する。
また、導電性発熱体の発熱部の少なくとも一部が雰囲気に露出して一定の空間を閉じる様に囲う様にしたので、発熱する発熱部が雰囲気に露出して一定の空間を閉じる様に囲う。
また、一定の表面をもつ部分を有する対象物に設けられ、前記導電体が対象物の部分の表面に断熱材を間に挟んで配置される様にしたので、前記導電性発熱体が対象物の一定の表面の上に発熱部を雰囲気に露出して設けられる。
また、一定の表面をもつ部分を有する対象物に設けられ、帯状金属体である導電体が対象物の部分の表面に断熱材を間に挟んで配置される様にしたので、前記発熱体である帯状体が対象物の一定の表面の上に発熱部を雰囲気に露出して設けられる。
従って、簡易な構造によりエネルギーロスが少なく、利用の容易な給電ができる非接触給電システムを提供する。
【図面の簡単な説明】
【００２１】
【図１】本発明の第一の実施形態に係る非接触給電システムの概念図である。
【図２】本発明の第二の実施形態に係る非接触給電システムの概念図である。
【図３】本発明の第三の実施形態に係る非接触給電システムの概念図である。
【図４】本発明の第四の実施形態に係る非接触給電システムの概念図である。
【図５】本発明の第五の実施形態に係る非接触給電システムの概念図である。
【図６】本発明の第六の実施形態に係る非接触給電システムの概念図である。
【図７】本発明の第七の実施形態に係る非接触給電システムの概念図である。
【図８】本発明の第八の実施形態に係る非接触給電システムの概念図である。
【図９】本発明の第九の実施形態に係る非接触給電システムの概念図である。
【図１０】非接触給電システムの概念図である。
【発明を実施するための形態】
【００２２】
以下、本発明を実施するための形態を、図面を参照して説明する。
最初に、本発明の第一の実施形態にかかる非接触給電システムを、図を基に、説明する。
図１は、本発明の第一の実施形態に係る非接触給電システムの概念図である。
【００２３】
本発明の第一の実施形態に係る非接触給電システム１００は、一定の表面をもつ導電性の部分を有する対象物に設けられるシステムであってもよい。
図１は、対象物１０が自走式の駐車場における駐車区画である例を示す。
導電性の部分が駐車区画に設けられる。
例えば、駐車区画が表面を導電性のペイントで塗布されていてもよい。
例えば、導電性のペイントが、電気的に接地される。
【００２４】
本発明の第一の実施形態にかかる非接触給電システム１００は、給電機器１１０と受電機器１２０とで構成される。
本発明の第一の実施形態にかかる非接触給電システム１００は、給電機器１１０と受電機器１２０と中継機器（図示せず）とで構成されてもよい。
【００２５】
給電機器１１０は、給電用１次コイル１１１と駆動回路１１２と調整回路（図示せず）とで構成される。
給電用１次コイル１１１は、非接触給電をできるための送り側のコイル回路でである。
駆動回路１１２は、電源Ｓを供給され給電用１次コイル１１１を駆動する電気回路である。
例えば、駆動回路１１２は、給電用１次コイルの所定の周波数の交流電気を給電する。
調整回路（図示せず）は、給電機器１１０の電気磁気特性を調整する回路である。
例えば、調整回路（図示せず）は、給電機器１１０の電磁気的な共振周波数を調整する。
【００２６】
受電機器１２０は、給電用２次コイル１２１で構成される。
受電機器１２０は、給電用２次コイル１２１と調整回路（図示せず）とで構成されてもよい。
給電用２次コイル１２１は、非接触給電をできるための受け側のコイル回路である。
給電用２次コイル１２１は、非接触給電をうけることをできるコイル状の導電体１２１ａを持つ。
調整回路（図示せず）は、受電機器１２０の電気磁気特性を調整する回路である。
例えば、調整回路（図示せず）は、受電機器１２０の電磁気的な共振周波数を調整する。
【００２７】
給電用２次コイル１２１は、給電用１次コイル１１１から非接触給電される。
例えば、給電用２次コイル１２１は、給電用１次コイル１１１から磁界共鳴型の非接触給電される。
例えば、給電用２次コイル１２１は、給電用１次コイル１１１から電界共鳴型の非接触給電される。
例えば、給電用２次コイル１２１は、給電用１次コイル１１１から電磁誘導型の非接触給電される。
【００２８】
中継機器（図示せず）は、給電機器１１０から受電機器１２０への非接触給電を中継する機器である。
中継機器（図示せず）は、少なくとも１つの中継コイル（図示せず）で構成される。
中継機器（図示せず）は、少なくとも１つの中継コイル（図示せず）と調整回路（図示せず）とで構成されてもよい。
中継コイル（図示せず）は、給電用１次コイル１１１と給電用２次コイル１２１から電気的に独立したコイル回路である。
調整回路（図示せず）は、中継機器（図示せず）の電磁気特性を調整する回路である。
例えば、調整回路（図示せず）は、中継機器（図示せず）の電磁気的な共振周波数を調整する。
【００２９】
中継機器（図示せず）は、少なくとも１つの中継コイル（図示せず）と鉄心（図示せず）とで構成されてもよい。
鉄心（図示せず）は、渦電流の発生を抑制した磁気回路として機能する電気要素である。
例えば、鉄心は、薄い複数の鉄板を電気的に絶縁して貼りあわせてコアにしたものである。
中継コイル（図示せず）と鉄心（図示せず）とを各々の中心部に発生する磁界の磁束の向きを一致させる様に組み合わせた組合せ磁気回路とする。
【００３０】
給電用２次コイル１２１のコイル回路が巻かれるコイル状の軌跡は、駐車区画に駐車する車両の左右の車輪が走行する左右の走行路に挟まれる箇所に位置してもよい。
給電用１次コイル１１１のコイル回路が巻かれるコイル状の軌跡は、給電用２次コイル１２１のコイル回路が巻かれるコイル状の軌跡の内側に位置してもよい。
給電用１次コイル１１１のコイル回路が巻かれるコイル状の軌跡は、給電用２次コイル１２１のコイル回路が巻かれるコイル状の軌跡の内側に沿って位置してもよい。
図１は、給電用１次コイル１１１のコイル回路が巻かれるコイル状の軌跡が給電用２次コイル１２１のコイル回路が巻かれるコイル状の軌跡の内側に沿って位置する様子を示す。
給電用１次コイル１１１のコイル回路が巻かれるコイル状の軌跡は、給電用２次コイル１２１のコイル回路が巻かれるコイル状の軌跡の外側に位置してもよい。
給電用１次コイル１１１のコイル回路が巻かれるコイル状の軌跡は、給電用２次コイル１２１のコイル回路が巻かれるコイル状の軌跡の外側に沿って位置してもよい。
【００３１】
調整回路（図示せず）は、給電用２次コイル１２１が漏電しない、または接地しないとき、または接地しないときに、給電用２次コイル１１１から給電用２次コイルへの給電が効率良くできる様に、給電機器１１０と受電機器１２０の電磁気特性を調整してもよい。
例えば、調整回路（図示せず）は、給電用２次コイル１２１が漏電しない、または接地しないとき、給電用２次コイル１２１に効率良く高電圧、微小電流がながれる様に、給電機器１１０と受電機器１２０の電磁気特性を調整する。
【００３２】
導電体１２１ａの導電部の少なくとも１部が雰囲気に露出する。
導電体１２１ａの導電部が雰囲気に露出してもよい。
【００３３】
導電体１２１ａの導電部の少なくとも１部が雰囲気に露出して一定の空間Ｗを閉じる様に囲ってもよい。
導電体１２１ａが対象物の部分の表面に絶縁体（図示せず）を間に挟んで配置されてもよい。
導電体１２１ａが対象物の導電性の部分の表面に絶縁体（図示せず）を間に挟んで配置されてもよい。
【００３４】
導電体１２１ａが帯状金属体であってもよい。
帯状金属体が対象物の部分の表面に絶縁体（図示せず）を間に挟んで配置されてもよい。
帯状金属体が対象物の導電性の部分の表面に絶縁体（図示せず）を間に挟んで配置されてもよい。
【００３５】
以下に、本発明の第一の実施形態にかかる非接触給電システムの作用を説明する。
駆動回路１１２が給電用１次コイル１１１を駆動する。
例えば、駆動回路１１２が給電用１次コイル１１１に交番電圧を印加する。
給電機器１１０の調整回路（図示せず）が、給電機器１１０の電気磁気特性を調整する。
受電機器１２０の調整回路（図示せず）が受電機器１２０の電気磁気特性を調整する。
給電用１次コイルが磁界を発生させる。
例えば、各々の調整回路（図示せす）が、給電用２次コイルに高電圧、微小電流の電気が流れる様に調整する。
発生した磁界により、給電用２次コイル１２１に電流が発生する。
例えば、給電用２次コイル１２１に交番電流が発生する。
小動物が、駐車区画に迷い込み、給電用２次コイル１２１の雰囲気に露出した導電体１２１ａに触れると、電流が小動物にショックを与える。
そのとき、受電機器１２０の電気磁気特性が急激に変化し、給電用１次コイル１１１から給電用２次コイルへの非接触給電の効率が急激に低下する。
その結果、給電機器から受電機器への給電が一時的に低下する。
小動物が逃げると、給電用２次コイル１２１の電気磁気特性が回復し、給電用１次コイル１１１から給電用２次コイルへの非接触給電の効率が回復する。
正常に発生した磁界により、給電用２次コイル１２１に電流が発生する。
【００３６】
次ぎに、本発明の第二の実施形態にかかる非接触給電システムを、図を基に、説明する。
図２は、本発明の第二の実施形態に係る非接触給電システムの概念図である。
【００３７】
本発明の第二の実施形態に係る非接触給電システムは、一定の表面をもつ導電性の部分を有する対象物に設けられるシステムであってもよい。
図２は、対象物１０が駐車装置の車両を載せるパレットである例を示す。
パレットの表面が導電性の部分であってもよい。
パレットは、金属製であり、接地される。
【００３８】
本発明の第二の実施形態にかかる非接触給電システム１００は、給電機器１１０と受電機器１２０とで構成される。
本発明の第二の実施形態にかかる非接触給電システム１００は、給電機器１１０と受電機器１２０と中継機器（図示せず）とで構成されてもよい。
【００３９】
給電機器１１０と受電機器１２０と中継機器（図示せず）の構成は、第一の実施形態にかかる非接触給電システムのものと同じなので、説明を省略する。
【００４０】
給電用２次コイル１２１のコイル回路が巻かれるコイル状の軌跡は、パレットに搭載される車両の左右の車輪が走行する左右の走行路に挟まれる箇所に位置してもよい。
給電用１次コイル１１１のコイル回路が巻かれるコイル状の軌跡は、給電用２次コイル１２１のコイル回路が巻かれるコイル状の軌跡の内側に位置してもよい。
給電用１次コイル１１１のコイル回路が巻かれるコイル状の軌跡は、給電用２次コイル１２１のコイル回路が巻かれるコイル状の軌跡の内側に沿って位置してもよい。
図２は、給電用１次コイル１１１のコイル回路が巻かれるコイル状の軌跡が給電用２次コイル１２１のコイル回路が巻かれるコイル状の軌跡の内側に沿って位置する様子を示す。
給電用１次コイル１１１のコイル回路が巻かれるコイル状の軌跡は、給電用２次コイル１２１のコイル回路が巻かれるコイル状の軌跡の外側に位置してもよい。
給電用１次コイル１１１のコイル回路が巻かれるコイル状の軌跡は、給電用２次コイル１２１のコイル回路が巻かれるコイル状の軌跡の外側に沿って位置してもよい。
【００４１】
調整回路（図示せず）は、給電用２次コイル１２１が漏電しないとき、または接地しないときに、給電用２次コイル１１１から給電用２次コイルへの給電が効率良くできる様に、給電機器１１０と受電機器１２０の電磁気特性を調整してもよい。
【００４２】
導電体１２１ａの導電部の少なくとも１部が雰囲気に露出する。
導電体１２１ａの導電部が雰囲気に露出してもよい。
【００４３】
導電体１２１ａの導電部の少なくとも１部が雰囲気に露出して一定の空間Ｗを閉じる様に囲ってもよい。
導電体１２１ａが対象物の部分の表面に絶縁体（図示せず）を間に挟んで配置されてもよい。
【００４４】
導電体１２１ａが帯状金属体であってもよい。
帯状金属体が対象物の部分の表面に絶縁体（図示せず）を間に挟んで配置されてもよい。
【００４５】
以下に、本発明の第二の実施形態にかかる非接触給電システムの作用を説明する。
駆動回路１１２が給電用１次コイル１１１を駆動する。
例えば、駆動回路１１２が給電用１次コイル１１１に交番電圧を印加する。
給電機器１１０の調整回路（図示せず）が、給電機器１１０の電気磁気特性を調整する。
受電機器１２０の調整回路（図示せず）が受電機器１２０の電気磁気特性を調整する。
給電用１次コイルが磁界を発生させる。
例えば、各々の調整回路（図示せす）が、給電用２次コイルに高電圧、微小電流の電気が流れる様に調整する。
発生した磁界により、給電用２次コイル１２１に電流が発生する。
例えば、給電用２次コイル１２１に交番電流が発生する。
小動物が、パレットに迷い込み、給電用２次コイル１２１の雰囲気に露出した導電体１２１ａに触れると、電流が小動物にショックを与える。
そのとき、受電機器１２０の電気磁気特性が急激に変化し、給電用１次コイル１１１から給電用２次コイルへの非接触給電の効率が急激に低下する。
その結果、給電機器から受電機器への給電が低下する。
小動物が逃げると、給電用２次コイル１２１の電気磁気特性が回復し、給電用１次コイル１１１から給電用２次コイルへの非接触給電の効率が回復する。
正常に発生した磁界により、給電用２次コイル１２１に電流が発生する。
【００４６】
次ぎに、本発明の第三の実施形態にかかる非接触給電システムを、図を基に、説明する。
図３は、本発明の第三の実施形態に係る非接触給電システムの概念図である。
【００４７】
本発明の第三の実施形態に係る非接触給電システムは、一定の表面をもつ導電性の部分を有する対象物に設けられるシステムであってもよい。
図３は、対象物１０が平面状の床である例を示す。
導電性の部分が床に設けられる。
例えば、床が平面状であって、導電性のペイントで塗布される。
導電性のペイントが、電気的に接地されてもよい。
【００４８】
本発明の第三の実施形態にかかる非接触給電システム１００は、給電機器１１０と受電機器１２０とで構成される。
本発明の第三の実施形態にかかる非接触給電システム１００は、給電機器１１０と受電機器１２０と中継機器（図示せず）とで構成されてもよい。
【００４９】
給電機器１１０と受電機器１２０と中継機器（図示せず）の構成は、第一の実施形態にかかかる非接触給電システムのものと同じなので、説明を省略する。
【００５０】
給電用１次コイル１１１のコイル回路が巻かれるコイル状の軌跡は、給電用２次コイル１２１のコイル回路が巻かれるコイル状の軌跡の内側に位置してもよい。
給電用１次コイル１１１のコイル回路が巻かれるコイル状の軌跡は、給電用２次コイル１２１のコイル回路が巻かれるコイル状の軌跡の内側に沿って位置してもよい。
給電用１次コイル１１１のコイル回路が巻かれるコイル状の軌跡は給電用２次コイル１２１のコイル回路が巻かれるコイル状の軌跡より十分に小さく、給電用１次コイル１１１のコイル回路が巻かれるコイル状の軌跡の一部が給電用２次コイル１２１のコイル回路が巻かれるコイル状の軌跡の一部に沿っていてもよい。
図３は、給電用１次コイル１１１のコイル回路が巻かれるコイル状の軌跡が給電用２次コイル１２１のコイル回路が巻かれるコイル状の軌跡より十分に小さく、給電用１次コイル１１１のコイル回路が巻かれるコイル状の軌跡の一部が給電用２次コイル１２１のコイル回路が巻かれるコイル状の軌跡の一部に沿っている様子を示す。
給電用１次コイル１１１のコイル回路が巻かれるコイル状の軌跡は、給電用２次コイル１２１のコイル回路が巻かれるコイル状の軌跡の外側に位置してもよい。
給電用１次コイル１１１のコイル回路が巻かれるコイル状の軌跡は、給電用２次コイル１２１のコイル回路が巻かれるコイル状の軌跡の外側に沿って位置してもよい。
【００５１】
調整回路（図示せず）は、給電用２次コイル１２１が漏電しないとき、または接地しないときに、給電用２次コイル１１１から給電用２次コイルへの給電が効率良くできる様に、給電機器１１０と受電機器１２０の電磁気特性を調整してもよい。
【００５２】
導電体１２１ａの導電部の少なくとも１部が雰囲気に露出する。
導電体１２１ａの導電部が雰囲気に露出してもよい。
導電体１２１ａのコイル回路の巻かれる軌跡に沿う導電部が雰囲気に露出してもよい。
【００５３】
導電体１２１ａの導電部の少なくとも１部が雰囲気に露出して一定の空間Ｗを閉じる様に囲ってもよい。
導電体１２１ａのコイル回路の巻かれる軌跡に沿う導電部が雰囲気に露出して一定の空間Ｗを閉じる様に囲ってもよい。
導電体１２１ａが対象物の部分の表面に絶縁体（図示せず）を間に挟んで配置されてっもよい。
導電体１２１ａが対象物の導電性に部分の表面に絶縁体（図示せず）を間に挟んで配置されてもよい。
【００５４】
導電体１２１ａが帯状金属体であってもよい。
帯状金属体が対象物の部分の表面に絶縁体（図示せず）を間に挟んで配置されてもよい。
帯状金属体が対象物の導電性の部分の表面に絶縁体（図示せず）を間に挟んで配置されてもよい。
【００５５】
以下に、本発明の第三の実施形態にかかる非接触給電システムの作用を説明する。
駆動回路１１２が給電用１次コイル１１１を駆動する。
例えば、駆動回路１１２が給電用１次コイル１１１に交番電圧を印加する。
給電機器１１０の調整回路（図示せず）が、給電機器１１０の電気磁気特性を調整する。
受電機器１２０の調整回路（図示せず）が受電機器１２０の電気磁気特性を調整する。
給電用１次コイルが磁界を発生させる。
例えば、各々の調整回路（図示せす）が、給電用２次コイルに高電圧、微小電流の電気が流れる様に調整する。
発生した磁界により、給電用２次コイル１２１に電流が発生する。
例えば、給電用２次コイル１２１に交番電流が発生する。
小動物が、床に迷い込み、給電用２次コイル１２１の雰囲気に露出した導電体１２１ａに触れると、電流が小動物にショックを与える。
そのとき、受電機器１２０の電気磁気特性が急激に変化し、給電用１次コイル１１１から給電用２次コイルへの非接触給電の効率が急激に低下する。
その結果、給電機器から受電機器への給電が一時的に低下する。
小動物が逃げると、給電用２次コイル１２１の電気磁気特性が回復し、給電用１次コイル１１１から給電用２次コイルへの非接触給電の効率が回復する。
正常に発生した磁界により、給電用２次コイル１２１に電流が発生する。
【００５６】
次ぎに、本発明の第四の実施形態にかかる非接触給電システムを、図を基に、説明する。
図４は、本発明の第四の実施形態に係る非接触給電システムの概念図である。
【００５７】
本発明の第四の実施形態に係る非接触給電システムは、一定の表面をもつ導電性の部分を有する対象物に設けられるシステムであってもよい。
図４は、対象物１０が屋外の野原である例を示す。
野原は、接地点である。
【００５８】
本発明の第四の実施形態にかかる非接触給電システム１００は、給電機器１１０と受電機器１２０とで構成される。
本発明の第四の実施形態にかかる非接触給電システム１００は、給電機器１１０と受電機器１２０と中継機器（図示せず）とで構成されてもよい。
【００５９】
給電機器１１０と受電機器１２０と中継機器（図示せず）の構成は、第一の実施形態にかかる非接触給電システムのものと同じなので、説明を省略する。
【００６０】
給電用１次コイル１１１のコイル回路が巻かれるコイル状の軌跡は、給電用２次コイル１２１のコイル回路が巻かれるコイル状の軌跡の内側に位置してもよい。
給電用１次コイル１１１のコイル回路が巻かれるコイル状の軌跡は、給電用２次コイル１２１のコイル回路が巻かれるコイル状の軌跡の内側に沿って位置してもよい。
給電用１次コイル１１１のコイル回路が巻かれるコイル状の軌跡は、給電用２次コイル１２１のコイル回路が巻かれるコイル状の軌跡の外側に位置してもよい。
給電用１次コイル１１１のコイル回路が巻かれるコイル状の軌跡は、給電用２次コイル１２１のコイル回路が巻かれるコイル状の軌跡の外側に沿って位置してもよい。
給電用１次コイル１１１のコイル回路が巻かれるコイル状の軌跡が給電用２次コイル１２１のコイル回路が巻かれるコイル状の軌跡より十分に小さく、  給電用１次コイル１１１のコイル回路の巻かれるコイル状の軌跡の一部がが給電用２次コイル１２１のコイル回路が巻かれるコイル状の軌跡の一部に沿っていてもよい。
図４は、給電用１次コイル１１１のコイル回路が巻かれるコイル状の軌跡が給電用２次コイル１２１のコイル回路が巻かれるコイル状の軌跡より十分に小さく、給電用１次コイル１１１のコイル回路の巻かれるコイル状の軌跡の一部がが給電用２次コイル１２１のコイル回路が巻かれるコイル状の軌跡の一部に沿っている様子を示す。
【００６１】
調整回路（図示せず）は、給電用２次コイル１２１が漏電しないとき、または接地しないときに、給電用２次コイル１１１から給電用２次コイルへの給電が効率良くできる様に、給電機器１１０と受電機器１２０の電磁気特性を調整してもよい。
【００６２】
導電体１２１ａの導電部の少なくとも１部が雰囲気に露出する。
導電体１２１ａの導電部が雰囲気に露出してもよい。
導電体１２１ａのコイル回路の巻かれる軌跡に沿う導電部が雰囲気に露出してもよい。
【００６３】
導電体１２１ａの導電部の少なくとも１部が雰囲気に露出して一定の空間Ｗを閉じる様に囲ってもよい。
導電体１２１ａのコイル回路の巻かれる軌跡に沿う導電部が雰囲気に露出して一定の空間Ｗを閉じる様に囲ってもよい。
導電体１２１ａが野原の上に絶縁体に支持されて配置される。
図１は、導電体１２１ａが野原の上に柱状の絶縁体に支持されて配置されてもよい。
【００６４】
導電体１２１ａが帯状金属体であってもよい。
帯状金属体が絶縁体に支持されて配置されてもよい。
【００６５】
以下に、本発明の第四の実施形態にかかる非接触給電システムの作用を説明する。
駆動回路１１２が給電用１次コイル１１１を駆動する。
例えば、駆動回路１１２が給電用１次コイル１１１に交番電圧を印加する。
給電機器１１０の調整回路（図示せず）が、給電機器１１０の電気磁気特性を調整する。
受電機器１２０の調整回路（図示せず）が受電機器１２０の電気磁気特性を調整する。
給電用１次コイルが磁界を発生させる。
例えば、各々の調整回路（図示せす）が、給電用２次コイルに高電圧、微小電流の電気が流れる様に調整する。
発生した磁界により、給電用２次コイル１２１に電流が発生する。
例えば、給電用２次コイル１２１に交番電流が発生する。
動物が、空間Ｗから出ようとすると、給電用２次コイル１２１の雰囲気に露出した導電体１２１ａに触れて、電流が動物にショックを与える。
そのとき、受電機器１２０の電気磁気特性が急激に変化し、給電用１次コイル１１１から給電用２次コイルへの非接触給電の効率が急激に低下する。
その結果、給電機器から受電機器への給電が一時的に低下する。
動物が導電体１２１ａから離れると、給電用２次コイル１２１の電気磁気特性が回復し、給電用１次コイル１１１から給電用２次コイルへの非接触給電の効率が回復する。
正常に発生した磁界により、給電用２次コイル１２１に電流が発生する。
【００６６】
次ぎに、本発明の第五の実施形態にかかる非接触給電システムを、図を基に、説明する。
図５は、本発明の第五の実施形態に係る非接触給電システムの概念図である。
【００６７】
本発明の第五の実施形態に係る非接触給電システムは、一定の表面をもつ部分を有する対象物に設けられるシステムであってもよい。
図５は、対象物１０が自走式の駐車場における駐車区画である例を示す。
【００６８】
本発明の第五の実施形態にかかる非接触給電システム１００は、給電機器１１０と受電機器１２０とで構成される。
本発明の第五の実施形態にかかる非接触給電システム１００は、給電機器１１０と受電機器１２０と中継機器（図示せず）とで構成されてもよい。
【００６９】
給電機器１１０は、給電用１次コイル１１１と駆動回路１１２と調整回路（図示せず）とで構成される。
給電用１次コイル１１１は、非接触給電をできるための送り側のコイル回路でである。
駆動回路１１２は、給電用１次コイル１１１を駆動する電気回路である。
例えば、駆動回路１１２は、給電用１次コイルの所定の周波数の交流電気を給電する。
調整回路（図示せず）は、給電機器１１０の電気磁気特性を調整する回路である。
例えば、調整回路（図示せず）は、給電機器１１０の電磁気的な共振周波数を調整する。
【００７０】
受電機器１２０は、給電用２次コイル１２１で構成される。
受電機器１２０は、給電用２次コイル１２１と調整回路（図示せず）とで構成されてもよい。
給電用２次コイル１２１は、非接触給電をできるための受け側のコイル回路である。
給電用２次コイル１２１は、非接触給電をうけることをできるコイル状の導電性発熱体１２１ｂを持つ。
調整回路（図示せず）は、受電機器１２０の電気磁気特性を調整する回路である。
例えば、調整回路（図示せず）は、受電機器１２０の電磁気的な共振周波数を調整する。
【００７１】
中継機器（図示せず）は、給電機器１１０から受電機器１２０への非接触給電を中継する機器である。
中継機器（図示せず）は、少なくとも１つの中継コイル（図示せず）で構成される。
中継機器（図示せず）は、少なくとも１つの中継コイル（図示せず）と調整回路（図示せず）とで構成されてもよい。
中継コイル（図示せず）は、給電用１次コイル１１１と給電用２次コイル１２１から電気的に独立したコイル回路である。
調整回路（図示せず）は、中継機器（図示せず）の電磁気特性を調整する回路である。
例えば、調整回路（図示せず）は、中継機器（図示せず）の電磁気的な共振周波数を調整する。
【００７２】
中継機器（図示せず）は、少なくとも１つの中継コイル（図示せず）と鉄心（図示せず）とで構成されてもよい。
鉄心（図示せず）は、渦電流の発生を抑制した磁気回路として機能する電気要素である。
例えば、鉄心は、薄い複数の鉄板を電気的に絶縁して貼りあわせてコアにしたものである。
中継コイル（図示せず）と鉄心（図示せず）とを各々の中心部に発生する磁界の磁束の向きを一致させる様に組み合わせた組合せ磁気回路とする。
【００７３】
給電用２次コイル１２１のコイル回路が巻かれるコイル状の軌跡は、駐車区画に駐車する車両の左右の車輪が走行する左右の走行路に挟まれる箇所に位置する。
給電用１次コイル１１１のコイル回路が巻かれるコイル状の軌跡は、給電用２次コイル１２１のコイル回路が巻かれるコイル状の軌跡の内側に位置してもよい。
給電用１次コイル１１１のコイル回路が巻かれるコイル状の軌跡は、給電用２次コイル１２１のコイル回路が巻かれるコイル状の軌跡の内側に沿って位置してもよい。
図５は、給電用１次コイル１１１のコイル回路が巻かれるコイル状の軌跡が給電用２次コイル１２１のコイル回路が巻かれるコイル状の軌跡の内側に沿って位置する様子を示す。
給電用１次コイル１１１のコイル回路が巻かれる軌跡は、給電用２次コイル１２１のコイル回路が巻かれる軌跡の外側に位置してもよい。
給電用１次コイル１１１のコイル回路が巻かれる軌跡は、給電用２次コイル１２１のコイル回路が巻かれる軌跡の外側に沿って位置してもよい。
【００７４】
調整回路（図示せず）は、給電用１次コイル１１１から給電用２次コイル１２１への給電が効率良くできる様に、給電機器１１０と受電機器１２０の電磁気特性を調整する。
例えば、調整回路（図示せず）は、給電用２次コイル１２１の導電性発熱体１２１ｂが発熱する様に、給電機器１１０と受電機器１２０の電磁気特性を調整する。
例えば、調整回路（図示せず）は、給電用２次コイル１２１の導電性発熱体１２１ｂが何も接触していないときに効率良く発熱する様に、給電機器１１０と受電機器１２０の電磁気特性を調整する。
【００７５】
導電性発熱体１２１ｂの発熱部の少なくとも一部が雰囲気に露出する。
導電性発熱体１２１ｂの発熱部が雰囲気に露出してもよい。
【００７６】
導電性発熱体１２１ｂの発熱部の少なくとも１部が、雰囲気に露出し一定の空間Ｗをに囲ってもよい。
導電性発熱体１２１ｂの発熱部の少なくとも１部が、雰囲気に露出し一定の空間Ｗを閉じる様に囲ってもよい。
【００７７】
導電性発熱体が対象物の部分の表面に断熱体を間に挟んで配置されてもよい。
【００７８】
導電性発熱体が帯状体であってもよい。
帯状体が対象物の部分の表面に断熱体を間に挟んで配置されてもよい。
【００７９】
以下に、本発明の第五の実施形態にかかる非接触給電システムの作用を説明する。
駆動回路１１２が給電用１次コイル１１１を駆動する。
例えば、駆動回路１１２が給電用１次コイル１１１に交番電圧を印加する。
給電機器１１０の調整回路（図示せず）が、給電機器１１０の電気磁気特性を調整する。
受電機器１２０の調整回路（図示せず）が受電機器１２０の電気磁気特性を調整する。
給電用１次コイルが磁界を発生させる。
発生した磁界により、給電用２次コイル１２１に電流が発生し、導電性発熱体が発熱する。
例えば、給電用２次コイル１２１に交番電流が発生する。
小動物が、駐車区画に迷い込み、給電用２次コイル１２１の雰囲気に露出した導電性発熱体１２１ｂに触れると、小動物が熱ショックを受ける。
そのとき、受電機器１２０の電気磁気特性が急激に変化し、給電用１次コイル１１１から給電用２次コイルへの非接触給電の効率が急激に低下する。
その結果、給電機器から受電機器への給電が一時的に低下する。
小動物が逃げると、給電用２次コイル１２１の電気磁気特性が回復し、給電用１次コイル１１１から給電用２次コイルへの非接触給電の効率が回復する。
正常に発生した磁界により、給電用２次コイル１２１に電流が発生し、導電性発熱体が発熱する。
【００８０】
次ぎに、本発明の第六の実施形態にかかる非接触給電システムを、図を基に、説明する。
図６は、本発明の第六の実施形態に係る非接触給電システムの概念図である。
【００８１】
本発明の第六の実施形態に係る非接触給電システムは、一定の表面をもつ部分を有する対象物に設けられるシステムであってもよい。
図６は、対象物１０が駐車装置における車両を載せるパレットである例を示す。
【００８２】
本発明の第六の実施形態にかかる非接触給電システム１００は、給電機器１１０と受電機器１２０とで構成される。
本発明の第六の実施形態にかかる非接触給電システム１００は、給電機器１１０と受電機器１２０と中継機器（図示せず）とで構成されてもよい。
【００８３】
給電機器１１０と受電機器１２０と中継機器（図示せず）の構成は、第五の実施形態にかかる非接触給電システムのものと同じなので、説明を省略する。
【００８４】
給電用２次コイル１２１のコイル回路が巻かれるコイル状の軌跡は、パレットに搭載される車両の左右の車輪の走行する左右の走行路に挟まれる箇所に位置する。
給電用１次コイル１１１のコイル回路が巻かれるコイル状の軌跡は、給電用２次コイル１２１のコイル回路が巻かれるコイル状の軌跡の内側に位置してもよい。
給電用１次コイル１１１のコイル回路が巻かれるコイル状の軌跡は、給電用２次コイル１２１のコイル回路が巻かれるコイル状の軌跡の内側に沿って位置してもよい。
図６は、給電用１次コイル１１１のコイル回路が巻かれるコイル状の軌跡が給電用２次コイル１２１のコイル回路が巻かれるコイル状の軌跡の内側に沿って位置する様子を示す。
給電用１次コイル１１１のコイル回路が巻かれるコイル状の軌跡は、給電用２次コイル１２１のコイル回路が巻かれるコイル状の軌跡の外側に位置してもよい。
給電用１次コイル１１１のコイル回路が巻かれるコイル状の軌跡は、給電用２次コイル１２１のコイル回路が巻かれるコイル状の軌跡の外側に沿って位置してもよい。
【００８５】
調整回路（図示せず）は、給電用１次コイル１１１から給電用２次コイル１２１への給電が効率良くできる様に、給電機器１１０と受電機器１２０の電磁気特性を調整する。
例えば、調整回路（図示せず）は、給電用２次コイル１２１の導電性発熱体１２１ｂが発熱する様に、給電機器１１０と受電機器１２０の電磁気特性を調整する。
例えば、調整回路（図示せず）は、給電用２次コイル１２１の導電性発熱体１２１ｂが何にも接触しないときに効率良く発熱する様に、給電機器１１０と受電機器１２０の電磁気特性を調整する。
【００８６】
導電性発熱体１２１ｂの発熱部の少なくとも一部が雰囲気に露出する、
導電性発熱体１２１ｂの発熱部が雰囲気に露出してもよい。
【００８７】
導電性発熱体１２１ｂの発熱部の少なくとも１部が、雰囲気に露出し一定の空間Ｗをに囲ってもよい。
導電性発熱体１２１ｂの発熱部の少なくとも１部が、雰囲気に露出し一定の空間Ｗを閉じる様に囲ってもよい。
【００８８】
導電性発熱体１２１ｂが対象物の部分の表面に断熱体を間に挟んで配置されてもよい。
【００８９】
導電性発熱体が帯状体であってもよい。
帯状体が対象物の部分の表面に断熱体を間に挟んで配置されてもよい。
【００９０】
以下に、本発明の第六の実施形態にかかる非接触給電システムの作用を説明する。
駆動回路１１２が給電用１次コイル１１１を駆動する。
例えば、駆動回路１１２が給電用１次コイル１１１に交番電圧を印加する。
給電機器１１０の調整回路（図示せず）が、給電機器１１０の電気磁気特性を調整する。
受電機器１２０の調整回路（図示せず）が受電機器１２０の電気磁気特性を調整する。
給電用１次コイルが磁界を発生させる。
発生した磁界により、給電用２次コイル１２１に電流が発生し、導電性発熱体が発熱する。
例えば、給電用２次コイル１２１に交番電流が発生する。
小動物が、パレットに迷い込み、給電用２次コイル１２１の雰囲気に露出した導電性発熱体１２１ｂに触れると、小動物が熱ショックを受ける。
そのとき、受電機器１２０の電気磁気特性が急激に変化し、給電用１次コイル１１１から給電用２次コイルへの非接触給電の効率が急激に低下する。
その結果、給電機器から受電機器への給電が一時的に低下する。
小動物が逃げると、給電用２次コイル１２１の電気磁気特性が回復し、給電用１次コイル１１１から給電用２次コイルへの非接触給電の効率が回復する。
正常に発生した磁界により、給電用２次コイル１２１に電流が発生し、導電性発熱体が発熱する。
【００９１】
次に、本発明の第七の実施形態にかかる非接触給電システムを、図を基に、説明する。
図７は、本発明の第七の実施形態に係る非接触給電システムの概念図である。
【００９２】
本発明の第七の実施形態に係る非接触給電システムは、一定の表面をもつ部分を有する対象物に設けられるシステムであってもよい。
図７は、対象物１０が平面状の床である例を示す。
【００９３】
本発明の第七の実施形態にかかる非接触給電システム１００は、給電機器１１０と受電機器１２０とで構成される。
本発明の第七の実施形態にかかる非接触給電システム１００は、給電機器１１０と受電機器１２０と中継機器（図示せず）とで構成されてもよい。
【００９４】
給電機器１１０と受電機器１２０と中継機器（図示せず）の構成は、第一の実施形態にかかかる非接触給電システムのものと同じなので、説明を省略する。
【００９５】
給電用１次コイル１１１のコイル回路が巻かれるコイル状の軌跡は、給電用２次コイル１２１のコイル回路が巻かれるコイル状の軌跡の内側に位置してもよい。
給電用１次コイル１１１のコイル回路が巻かれるコイル状の軌跡は、給電用２次コイル１２１のコイル回路が巻かれるコイル状の軌跡の内側に沿って位置してもよい。
給電用１次コイル１１１のコイル回路が巻かれるコイル状の軌跡は給電用２次コイル１２１のコイル回路が巻かれるコイル状の軌跡より十分に小さく、給電用１次コイル１１１のコイル回路が巻かれるコイル状の軌跡の一部が給電用２次コイル１２１のコイル回路が巻かれるコイル状の軌跡の一部に沿っていてもよい。
図７は、  給電用１次コイル１１１のコイル回路が巻かれるコイル状の軌跡が給電用２次コイル１２１のコイル回路が巻かれるコイル状の軌跡より十分に小さく、給電用１次コイル１１１のコイル回路が巻かれるコイル状の軌跡の一部が給電用２次コイル１２１のコイル回路が巻かれるコイル状の軌跡の一部に沿っている様子を示す。
給電用１次コイル１１１のコイル回路が巻かれるコイル状の軌跡は、給電用２次コイル１２１のコイル回路が巻かれるコイル状の軌跡の外側に位置してもよい。
給電用１次コイル１１１のコイル回路が巻かれるコイル状の軌跡は、給電用２次コイル１２１のコイル回路が巻かれるコイル状の軌跡の外側に沿って位置してもよい。
【００９６】
調整回路（図示せず）は、給電用１次コイル１１１から給電用２次コイル１２１への給電が効率良くできる様に、給電機器１１０と受電機器１２０の電磁気特性を調整してもよい。
例えば、調整回路（図示せず）は、給電用２次コイル１２１の導電性発熱体１２１ｂが発熱する様に、給電機器１１０と受電機器１２０の電磁気特性を調整してもよい。
例えば、調整回路（図示せず）は、給電用２次コイル１２１の導電性発熱体１２１ｂが何にも接触しないときに効率良く発熱する様に、給電機器１１０と受電機器１２０の電磁気特性を調整してもよい。
【００９７】
導電性発熱体１２１ｂの発熱部の少なくとも一部が雰囲気に露出する。
導電性発熱体１２１ｂの発熱部が雰囲気に露出してもよい。
【００９８】
導電性発熱体１２１ｂの発熱部の少なくとも１部が、雰囲気に露出し一定の空間Ｗをに囲ってもよい。
導電性発熱体１２１ｂの発熱部の少なくとも１部が、雰囲気に露出し一定の空間Ｗを閉じる様に囲ってもよい。
【００９９】
導電性発熱体が対象物の部分の表面に断熱体を間に挟んで配置されてもよい。
【０１００】
導電性発熱体が帯状体であってもよい。
帯状体が対象物の部分の表面に断熱体を間に挟んで配置されてもよい。
【０１０１】
以下に、本発明の第七の実施形態にかかる非接触給電システムの作用を説明する。
駆動回路１１２が給電用１次コイル１１１を駆動する。
例えば、駆動回路１１２が給電用１次コイル１１１に交番電圧を印加する。
給電機器１１０の調整回路（図示せず）が、給電機器１１０の電気磁気特性を調整する。
受電機器１２０の調整回路（図示せず）が受電機器１２０の電気磁気特性を調整する。
給電用１次コイルが磁界を発生させる。
発生した磁界により、給電用２次コイル１２１に電流が発生し、導電性発熱体が発熱する。
例えば、給電用２次コイル１２１に交番電流が発生する。
小動物が、床に迷い込み、給電用２次コイル１２１の雰囲気に露出した導電性発熱体１２１ｂに触れると、小動物が熱ショックを受ける。
そのとき、受電機器１２０の電気磁気特性が急激に変化し、給電用１次コイル１１１から給電用２次コイルへの非接触給電の効率が急激に低下する。
その結果、給電機器から受電機器への給電が一時的に低下する。
小動物が逃げると、給電用２次コイル１２１の電気磁気特性が回復し、給電用１次コイル１１１から給電用２次コイルへの非接触給電の効率が回復する。
正常に発生した磁界により、給電用２次コイル１２１に電流が発生し、導電性発熱体が発熱する。
【０１０２】
次ぎに、本発明の第八の実施形態にかかる非接触給電システムを、図を基に、説明する。
図８は、本発明の第八の実施形態に係る非接触給電システムの概念図である。
【０１０３】
本発明の第八の実施形態に係る非接触給電システムは、一定の表面をもつ部分を有する対象物に設けられるシステムであってもよい。
図８は、対象物１０が屋外の野原である例を示す。
【０１０４】
本発明の第八の実施形態にかかる非接触給電システム１００は、給電機器１１０と受電機器１２０とで構成される。
本発明の第八の実施形態にかかる非接触給電システム１００は、給電機器１１０と受電機器１２０と中継機器（図示せず）とで構成されてもよい。
【０１０５】
給電用１次コイル１１１のコイル回路が巻かれるコイル状の軌跡は、給電用２次コイル１２１のコイル回路が巻かれるコイル状の軌跡の内側に位置してもよい。
給電用１次コイル１１１のコイル回路が巻かれるコイル状の軌跡は、給電用２次コイル１２１のコイル回路が巻かれるコイル状の軌跡の内側に沿って位置してもよい。
給電用１次コイル１１１のコイル回路が巻かれるコイル状の軌跡は、給電用２次コイル１２１のコイル回路が巻かれるコイル状の軌跡の外側に位置してもよい。
給電用１次コイル１１１のコイル回路が巻かれるコイル状の軌跡は、給電用２次コイル１２１のコイル回路が巻かれるコイル状の軌跡の外側に沿って位置してもよい。
給電用１次コイル１１１のコイル回路が巻かれるコイル状の軌跡が給電用２次コイル１２１のコイル回路が巻かれるコイル状の軌跡より十分に小さく、給電用１次コイル１１１のコイル回路の巻かれるコイル状の軌跡の一部がが給電用２次コイル１２１のコイル回路が巻かれるコイル状の軌跡の一部に沿っていてもよい。
図８は、給電用１次コイル１１１のコイル回路が巻かれるコイル状の軌跡が給電用２次コイル１２１のコイル回路が巻かれるコイル状の軌跡より十分に小さく、給電用１次コイル１１１のコイル回路の巻かれるコイル状の軌跡の一部が給電用２次コイル１２１のコイル回路が巻かれるコイル状の軌跡の一部に沿っている様子を示す。
【０１０６】
調整回路（図示せず）は、給電用１次コイル１１１から給電用２次コイル１２１への給電が効率良くできる様に、給電機器１１０と受電機器１２０の電磁気特性を調整する。
例えば、調整回路（図示せず）は、給電用２次コイル１２１の導電性発熱体１２１ｂが発熱する様に、給電機器１１０と受電機器１２０の電磁気特性を調整する。
例えば、調整回路（図示せず）は、給電用２次コイル１２１の導電性発熱体１２１ｂが何にも接触しないとき効率良く発熱する様に、給電機器１１０と受電機器１２０の電磁気特性を調整する。
【０１０７】
導電性発熱体１２１ｂの発熱部の少なくとも一部が雰囲気に露出する。
導電性発熱体１２１ｂの発熱部が雰囲気に露出してもよい。
【０１０８】
導電性発熱体１２１ｂの発熱部の少なくとも１部が、雰囲気に露出し一定の空間Ｗをに囲ってもよい。
導電性発熱体１２１ｂの発熱部の少なくとも１部が、雰囲気に露出し一定の空間Ｗを閉じる様に囲ってもよい。
【０１０９】
導電性発熱体が対象物の部分の表面に断熱体を間に挟んで配置されてもよい。
【０１１０】
導電性発熱体が帯状体であってもよい。
帯状体が対象物の部分の表面に断熱体を間に挟んで配置されてもよい。
【０１１１】
以下に、本発明の第八の実施形態にかかる非接触給電システムの作用を説明する。
駆動回路１１２が給電用１次コイル１１１を駆動する。
例えば、駆動回路１１２が給電用１次コイル１１１に交番電圧を印加する。
給電機器１１０の調整回路（図示せず）が、給電機器１１０の電気磁気特性を調整する。
受電機器１２０の調整回路（図示せず）が受電機器１２０の電気磁気特性を調整する。
給電用１次コイルが磁界を発生させる。
発生した磁界により、給電用２次コイル１２１に電流が発生し、導電性発熱体が発熱する。
例えば、給電用２次コイル１２１に交番電流が発生し、導電性発熱体が発熱する。
動物が、空間Ｗから出ようとすると、給電用２次コイル１２１の雰囲気に露出した導電性発熱体１２１ｂに触れると、小動物が熱ショックを受ける。
そのとき、受電機器１２０の電気磁気特性が急激に変化し、給電用１次コイル１１１から給電用２次コイルへの非接触給電の効率が急激に低下する。
その結果、給電機器から受電機器への給電が一時的に低下する。
動物が導電性発熱体１２１ｂから離れると、給電用２次コイル１２１の電気磁気特性が回復し、給電用１次コイル１１１から給電用２次コイルへの非接触給電の効率が回復する。
正常に発生した磁界により、給電用２次コイル１２１に電流が発生し、導電性発熱体が発熱する。
【０１１２】
次ぎに、本発明の第九の実施形態にかかる非接触給電システムを、図を基に、説明する。
図９は、本発明の第九の実施形態に係る非接触給電システムの概念図である。
【０１１３】
本発明の第九の実施形態に係る非接触給電システムは、一定の表面をもつ部分を有する対象物に設けられるシステムであってもよい。
図９は、対象物１０が家屋の屋根である例を示す。
【０１１４】
本発明の第八の実施形態にかかる非接触給電システム１００は、給電機器１１０と受電機器１２０とで構成される。
本発明の第八の実施形態にかかる非接触給電システム１００は、給電機器１１０と受電機器１２０と中継機器（図示せず）とで構成されてもよい。
【０１１５】
給電用２次コイル１２１のコイル回路が巻かれるコイル状の軌跡は、屋根の縁に沿うように位置してもとい。
給電用１次コイル１１１と給電用２次コイル１２１との相関関係は、第五乃至第七の実施形態の非接触給電システムのもののうちの一つと同じなので、説明を省略する。
【０１１６】
調整回路（図示せず）は、給電用１次コイル１１１から給電用２次コイル１２１への給電が効率良くできる様に、給電機器１１０と受電機器１２０の電磁気特性を調整してもよい。
例えば、調整回路（図示せず）は、給電用２次コイル１２１の導電性発熱体１２１ｂが発熱する様に、給電機器１１０と受電機器１２０の電磁気特性を調整する。
例えば、調整回路（図示せず）は、雪が屋根に積もると給電用２次コイル１２１の導電性発熱体１２１ｂが効率良く発熱する様に、給電機器１１０と受電機器１２０の電磁気特性を調整する。
【０１１７】
導電性発熱体１２１ｂの発熱部の少なくとも一部が雰囲気に露出する。
導電性発熱体１２１ｂの発熱部が雰囲気に露出してもよい。
【０１１８】
導電性発熱体１２１ｂの発熱部の少なくとも１部が、雰囲気に露出し一定の空間Ｗをに囲ってもよい。
導電性発熱体１２１ｂの発熱部の少なくとも１部が、雰囲気に露出し一定の空間Ｗを閉じる様に囲ってもよい。
【０１１９】
導電性発熱体が対象物の部分の表面に断熱体を間に挟んで配置されてもよい。
【０１２０】
導電性発熱体が帯状体であってもよい。
帯状体が対象物の部分の表面に断熱体を間に挟んで配置されてもよい。
【０１２１】
以下に、本発明の第九の実施形態にかかる非接触給電システムの作用を説明する。
駆動回路１１２が給電用１次コイル１１１を駆動する。
例えば、駆動回路１１２が給電用１次コイル１１１に交番電圧を印加する。
給電機器１１０の調整回路（図示せず）が、給電機器１１０の電気磁気特性を調整する。
受電機器１２０の調整回路（図示せず）が受電機器１２０の電気磁気特性を調整する。
給電用１次コイルが磁界を発生させる。
発生した磁界により、給電用２次コイル１２１に電流が発生し、導電性発熱体が発熱する。
例えば、給電用２次コイル１２１に交番電流が発生する。
雪が屋根に降ると、導電性発熱体が発熱し、雪が溶ける。
雪が降ると、受電機器１２０の電気磁気特性が急激に変化し、給電用１次コイル１１１から給電用２次コイルへの非接触給電の効率が急激に向上する。
その結果、給電機器から受電機器への給電が一時的に増加する。
雪が屋根から無くなると、給電用２次コイル１２１の電気磁気特性が回復し、給電用１次コイル１１１から給電用２次コイルへの非接触給電の効率がもとに戻り、低下する。
正常に発生した磁界により、給電用２次コイル１２１に電流が発生する。
【０１２２】
本発明の実施形態に係る非接触給電システムは、その構成により、以下の効果を有する。
駆動回路１１２に駆動される給電用１次コイル１２１が給電用２次コイル１２２に非接触給電し、給電用２次コイル１２１のコイル状の導電体の導電部の少なくとも一部を雰囲気に露出する様にしたので、電位の異なる状態の導電部が雰囲気に露出する。
また、導電体１２１ａの導電部の少なくとも一部が雰囲気に露出して一定の空間Ｗを閉じる様に囲う様にしたので、電位の異なる状態の導電部が雰囲気に露出して一定の空間を閉じる様に囲う。
また、一定の表面をもつ導電性の部分を有する対象物に設けられ、導電体１２１ａが対象物の部分の表面に絶縁体を間に挟んで配置される様にしたので、導電体が対象物の一定の表面の上に電位の異なる状態の導電部を雰囲気に露出して設けられる。
また、一定の表面をもつ導電性の部分を有する対象物に設けられ、帯状金属体である導電体が部分の表面に絶縁体を間に挟んで配置される様にしたので、導電体である帯状金属体が対象物の一定の表面の上に電位の異なる状態の導電部を雰囲気に露出して設けられる。
駆動回路１１２に駆動される給電用１次コイル１１１が給電用２次コイル１２１に非接触給電し、給電用２次コイル１２１のコイル状の導電体の発熱部の少なくとも一部を雰囲気に露出する様にしたので、発熱する発熱部が雰囲気に露出する。
また、導電性発熱体１２１ｂの発熱部の少なくとも一部が雰囲気に露出して一定の空間を閉じる様に囲う様にしたので、発熱する発熱部が雰囲気に露出して一定の空間を閉じる様に囲う。
また、一定の表面をもつ部分を有する対象物に設けられ、導電体が部分の表面に断熱材を間に挟んで配置される様にしたので、導電性発熱体が対象物の一定の表面の上に発熱部を雰囲気に露出して設けられる。
また、一定の表面をもつ部分を有する対象物に設けられ、帯状金属体である導電体が部分の表面に断熱材を間に挟んで配置される様にしたので、発熱体である帯状体が対象物の一定の表面の上に発熱部を雰囲気に露出して設けられる。
【０１２３】
本発明は以上に述べた実施形態に限られるものではなく、発明の要旨を逸脱しない範囲で各種の変更が可能である。
磁界に影響を与えない材料でできた板が、空隙を覆っていてもよい。
駐車装置、駐車場、屋根に本発明を適用した例で説明したが、これに限定されない。
駐車装置の移動機構の形式として、エレベータ方式駐車装置、箱形循環駐車装置、水平循環式駐車装置、メリーゴーランド方式駐車装置、エレベータ・スライド方式駐車装置、平面往復方式駐車装置、運搬格納方式駐車装置、二段方式・多段方式駐車装置の循環機構であってもよい。
【符号の説明】
【０１２４】
Ｓ    電源
Ｗ    空間
１００  非接触給電システム
１１０  給電機器
１１１  給電用１次コイル
１１２  駆動回路
１２０  受電機器
１２１  給電用２次コイル
１２１ａ  導電体
１２１ｂ  導電性発熱体
【図１】
2015186311.tif 000003
【図２】
2015186311.tif 000004
【図３】
2015186311.tif 000005
【図４】
2015186311.tif 000006
【図５】
2015186311.tif 000007
【図６】
2015186311.tif 000008
【図７】
2015186311.tif 000009
【図８】
2015186311.tif 000010
【図９】
2015186311.tif 000011
【図１０】
2015186311.tif 000012